(57)【要約】【課題】隣接する画素間の表示ムラを改善する。【解決手段】信号供給線Ｌ１〜Ｌ３の一方の端部には、第１入力端子Ｔ１ａ、Ｔ２ａ、及びＴ３ａが形成されており、そこには、選択信号Ｓ１〜Ｓ３が供給される。信号供給線Ｌ１〜Ｌ３と端子Ｔｉ１〜Ｔｉ３は、配線Ｕ１〜Ｕ３を介して接続されている。個々のデマルチプレクサＭＰＸ１〜ＭＰＸＮにおいて、端子Ｔｉ１から第１入力端子Ｔ１ａまでの距離、端子Ｔｉ２から第１入力端子Ｔ２ａまでの距離及び端子Ｔｉ３から第１入力端子Ｔ３ａまでの距離は、相互に等しい。よって、あるデマルチプレクサに着目すると、そこに供給される選択信号Ｓ１〜Ｓ３の信号波形は同じになる。【選択図】図４
2008134645.tif 000002
【特許請求の範囲】
【請求項１】
複数の走査線と、複数のデータ線と、前記走査線と前記データ線との交差に対応してマトリックス状に配置された複数の画素を備えた電気光学装置であって、
一方の端部が互いに近接し、他方の端部が互いに近接する複数の信号供給線と、
前記複数の信号供給線を介して供給される前記複数の選択信号に基づいて、所定本数のデータ線から選択した１本のデータ線に画像信号を供給する選択回路を複数有するデータ線選択手段と、
前記各信号供給線の前記一方の端部から前記複数の選択信号を供給する選択信号供給手段と
を備えることを特徴とする電気光学装置。
【請求項２】
前記複数の走査線、前記複数のデータ線、前記複数の画素、前記複数の信号供給線、及び前記データ線選択手段を備え、前記複数の信号供給線における各一方の端部として複数の入力端子が形成された電気光学パネルと、
前記電気光学パネルの外部に設けられ、前記複数の入力端子に前記複数の選択信号を各々供給する前記選択信号供給手段と
を備えたことを特徴とする請求項１に記載の電気光学装置。
【請求項３】
複数の走査線と、複数のデータ線と、前記走査線と前記データ線との交差に対応してマトリックス状に配置された複数の画素を備えた電気光学装置であって、
一方の端部が互いに近接し、他方の端部が互いに近接する複数の信号供給線と、
前記複数の信号供給線を介して供給される前記複数の選択信号に基づいて、所定本数のデータ線から選択した１本のデータ線に画像信号を供給する選択回路を複数有するデータ線選択手段と、
前記各信号供給線の前記一方の端部及び前記他方の端部から前記複数の選択信号を供給する選択信号供給手段と
を備えることを特徴とする電気光学装置。
【請求項４】
前記複数の走査線、前記複数のデータ線、前記複数の画素、前記複数の信号供給線、及び前記データ線選択手段を備え、前記複数の信号供給線における各一方の端部として複数の第１入力端子が形成され、前記複数の信号供給線における各他方の端部として複数の第２入力端子が形成された電気光学パネルと、
前記電気光学パネルの外部に設けられ、前記複数の第１入力端子及び前記複数の第２入力端子に前記複数の選択信号を各々供給する前記選択信号供給手段と
を備えたことを特徴とする請求項２に記載の電気光学装置。
【請求項５】
前記選択回路は、一方の各入出力端子が前記各データ線に各々接続され、他方の各入出力端子が前記画像信号を供給する接続点に接続され、各制御入力端子に前記選択信号が各々供給される複数のスイッチング素子を備えることを特徴とする請求項１乃至４のうちいずれか１項に記載した電気光学装置を備えた電気光学装置。
【請求項６】
請求項１乃至５のうちいずれか１項に記載した電気光学装置を備えた電子機器。
【請求項７】
複数の走査線と、複数のデータ線と、前記走査線と前記データ線との交差に対応してマトリックス状に配置された複数の画素と、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段とを備えた電気光学パネルの駆動方法であって、
前記各信号供給線の前記一方の端部から前記複数の選択信号を供給する
ことを特徴とする電気光学パネルの駆動方法。
【請求項８】
複数の走査線と、複数のデータ線と、前記走査線と前記データ線との交差に対応してマトリックス状に配置された複数の画素と、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段とを備えた電気光学パネルの駆動方法であって、
前記各信号供給線の前記一方の端部及び前記他方の端部から前記複数の選択信号を供給する
ことを特徴とする電気光学パネルの駆動方法。
【発明の詳細な説明】
【技術分野】
【０００１】
本発明は、電気光学装置、電子機器、及び電気光学パネルの駆動方法に関する。
【背景技術】
【０００２】
電気光学物質として液晶を用いる液晶パネルとしてアクティブマトリックス型のものがある。この液晶パネルは、複数の走査線と複数のデータ線を備え、データ線と走査線の交差に対応して、画素がマトリックス状に配置されている。画素は、スイッチング素子として機能する薄膜トランジスタ（Thin Film Transistor：以下、「ＴＦＴ」と称する）、画素電極、液晶、及び画素電極と液晶を挟んで対向する対向電極を備える。走査線が順次選択されると、当該走査線に接続されているＴＦＴがオン状態となり、データ線に供給される画像信号が画素に取り込まれ、電荷が液晶容量に蓄積される。
【０００３】
液晶パネルの駆動回路は、データ線や走査線などに、画像信号や走査信号を所定タイミングで供給するための走査線駆動回路や画像信号出力回路などから構成されている。このような画像信号出力回路として、６本のデータ線毎に画像信号を生成するものがある。そして、特許文献１には、６本のデータ線毎に６対１の選択回路を各々設け１本のデータ線を選択することによって画像信号を各データ線に供給する技術が開示されている。
【０００４】
【特許文献１】特開２００２−２１５１１７号公報（図２）
【発明の開示】
【発明が解決しようとする課題】
【０００５】
ところで、選択回路は６個のスイッチング素子により構成されているため、データ線を選択するためには、各スイッチング素子に選択信号を供給する必要がある。選択信号は何等かの配線を介して供給されることが多い。配線には配線抵抗と浮遊容量が分布しているので、配線は等価的に梯子型のローパスフィルタを構成している。従って、各スイッチング素子に供給される選択信号の波形は、鈍ったものとなる。
【０００６】
ここで、隣接する選択回路又はスイッチング素子に供給される選択信号の波形が大きく異なると、スイッチング素子がオンする時間、即ち、データ線が選択される時間が相違する。このため、データ線を介して画素に書き込まれる電圧値が隣接する画素間でバラつくため表示ムラが発生するといった問題があった。
【０００７】
本発明は、上述した事情に鑑みてなされたものであり、隣接する画素間の表示ムラを防止した電気光学装置、電子機器、及び電気光学パネルの駆動方法を提供することを目的とする。
【課題を解決するための手段】
【０００８】
上記課題を解決するために、本発明に係る第１の電気光学装置は、複数の走査線と、複数のデータ線と、前記走査線と前記データ線との交差に対応してマトリックス状に配置された複数の画素を備えたものであって、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段と、前記各信号供給線の前記一方の端部から前記複数の選択信号を供給する選択信号供給手段とを備えることを特徴とする。
【０００９】
この発明によれば、各信号供給線の一方の端部から選択信号が供給されるので、選択回路に供給される複数の選択信号の波形はほぼ同一となる。このため、近接するデータ線に接続される画素において表示ムラをなくすことができる。ここで、各信号供給線の線幅は、同一であることが好ましい。配線抵抗及び浮遊容量は線幅に応じた値となるからである。また、各信号供給線は平行して形成されており、各選択回路は信号供給線に沿って形成されることが好ましい。
【００１０】
また、上述した第１の電気光学装置は、前記複数の走査線、前記複数のデータ線、前記複数の画素、前記複数の信号供給線、及び前記データ線選択手段を備え、前記複数の信号供給線における各一方の端部として複数の入力端子が形成された電気光学パネルと、前記電気光学パネルの外部に設けられ、前記複数の入力端子に前記複数の選択信号を各々供給する前記選択信号供給手段とを備えることが好ましい。この場合には、各信号供給線の一方の端部が入力端子となっており、これを介して選択信号が供給されることになる。
【００１１】
次に、本発明に係る第２の電気光学装置は、複数の走査線と、複数のデータ線と、前記走査線と前記データ線との交差に対応してマトリックス状に配置された複数の画素を備えたものであって、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段と、前記各信号供給線の前記一方の端部及び前記他方の端部から前記複数の選択信号を供給する選択信号供給手段とを備える。
【００１２】
この発明によれば、各信号供給線の両方の端部から選択信号が供給されるので、選択回路に供給される複数の選択信号の波形はほぼ同一となる。このため、近接するデータ線に接続される画素において表示ムラをなくすことができる。
【００１３】
また、上述した第２の電気光学装置は、前記複数の走査線、前記複数のデータ線、前記複数の画素、前記複数の信号供給線、及び前記データ線選択手段を備え、前記複数の信号供給線における各一方の端部として複数の第１入力端子が形成され、前記複数の信号供給線における各他方の端部として複数の第２入力端子が形成された電気光学パネルと、前記電気光学パネルの外部に設けられ、前記複数の第１入力端子及び前記複数の第２入力端子に前記複数の選択信号を各々供給する前記選択信号供給手段とを備えることが好ましい。この場合には、各信号供給線の両方の端部が入力端子となっており、これを介して選択信号が供給されることになる。
【００１４】
ここで、前記選択回路は、一方の各入出力端子が前記各データ線に各々接続され、他方の各入出力端子が前記画像信号を供給する接続点に接続され、各制御入力端子に前記選択信号が各々供給される複数のスイッチング素子を備えることが好ましい。一方の端部又は他方の端部から距離が等しい場合には、選択信号の波形が略同一となるので、スイッチング素子がオンする時間を隣接するスイッチング素子間で揃えることができる。これにより、表示ムラをなくし画像品質を大幅に向上させることができる。
【００１５】
次に本発明に係る電子機器は上述した電気光学装置を備えるものであって、例えば、ビデオカメラに用いられるビューファインダ、携帯電話機、ノート型コンピュータ、ビデオプロジェクタ等が該当する。
【００１６】
次に、本発明に係る第１の電気光学パネルの駆動方法は、複数の走査線と、複数のデータ線と、前記走査線と前記データ線との交差に対応してマトリックス状に配置された複数の画素と、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段とを備えた電気光学パネルを駆動する方法であって、前記各信号供給線の前記一方の端部から前記複数の選択信号を供給することを特徴とする。
【００１７】
次に、本発明に係る第２の電気光学パネルの駆動方法は、複数の走査線と、複数のデータ線と、前記走査線と前記データ線との交差に対応してマトリックス状に配置された複数の画素と、一方の端部が互いに近接し、他方の端部が互いに近接する複数の信号供給線と、前記複数の信号供給線を介して供給される前記複数の選択信号に基づいて、所定本数のデータ線から選択した１本のデータ線に画像信号を供給する選択回路を複数有するデータ線選択手段とを備えた電気光学パネルを駆動する方法であって、前記各信号供給線の前記一方の端部及び前記他方の端部から前記複数の選択信号を供給することを特徴とする。
【発明を実施するための最良の形態】
【００１８】
＜１．第１実施形態＞
まず、本発明に係る電気光学装置として、電気光学材料として液晶を用いた液晶装置を一例にとって説明する。液晶装置は、主要部として液晶パネルＡＡを備える。液晶パネルＡＡは、スイッチング素子としてＴＦＴを形成した素子基板と対向基板とを互いに電極形成面を対向させて、かつ、一定の間隙を保って貼付し、この間隙に液晶が挟持されている。
【００１９】
図１は第１実施形態に係る液晶装置の全体構成を示すブロック図である。この液晶装置は、液晶パネルＡＡ、走査線駆動回路１００、画像信号出力回路２００、タイミング発生回路３００および画像処理回路４００を備える。液晶パネルＡＡは、その素子基板上に画像表示領域Ａ、データ線選択回路５００、及び信号供給線Ｌ１〜Ｌ３を備える。データ線選択回路５００はＴＦＴにより構成されており、画像表示領域ＡにおけるＴＦＴと同一のプロセスで同時に形成される。
【００２０】
この液晶装置に供給される入力画像データＤｉｎは、例えば、３ビットパラレルの形式である。タイミング発生回路３００は、入力画像データＤに同期してＹクロック信号ＹＣＫ、反転Ｙクロック信号ＹＣＫＢ、及びＹ転送開始パルスＤＹを生成して、走査線駆動回路１００に供給する。また、タイミング発生回路３００は、入力画像データＤｉｎに同期してＸクロック信号ＸＣＫ、反転Ｘクロック信号ＸＣＫＢ、及びＸ転送開始パルスＤＸを生成して、画像信号出力回路２００に供給する。さらに、タイミング発生回路３００は、画像処理回路４００を制御する各種のタイミング信号を生成し、これを出力する。
【００２１】
ここで、Ｙクロック信号ＹＣＫは１周期が２水平走査期間の信号であり、反転Ｙクロック信号ＹＣＫＢはＹクロック信号ＹＣＫを反転したものである。Ｘクロック信号ＸＣＫは、所定周期の信号であり、その１周期がデータ線３の選択期間の２倍となっている。反転Ｘクロック信号ＸＣＫＢはＸクロック信号ＸＣＫを反転したものである。また、Ｙ転送開始パルスＤＹは走査線２の選択開始を指示するパルスであり、一方、Ｘ転送開始パルスＤＸはデータ線３の選択開始を指示するパルスである。
【００２２】
画像処理回路３００は、入力画像データＤｉｎに、液晶パネルＡＡの光透過特性を考慮したガンマ補正等を施して出力画像データＤｏｕｔを生成し、これを画像信号出力回路２００に供給する。画像信号出力回路２００は、１２０個の出力端子を有し、各出力端子から画像信号Ｄ１〜Ｄ１２０を出力する。各画像信号Ｄ１〜Ｄｎには３本のデータ線３に供給すべき信号が時分割多重されている。
【００２３】
画像表示領域Ａには、ｍ本の走査線２が、Ｘ方向に沿って平行に形成されている。また、画像表示領域Ａには、３本を１組とするデータ線３がｎ組、Ｙ方向に沿って平行に形成されている。走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。この例の画素は、Ｙ方向に沿って、赤（Ｒ）を表示する画素、緑（Ｇ）を表示する画素、及び青（Ｂ）を表示する画素がストライプ状に配列されている。
【００２４】
次に、図２にデータ線選択回路５００のブロック図を示す。データ線駆動回路は、ｎ個のデマルチプレクサ（選択回路）ＭＰＸ１〜ＭＰＸＮを備える。各デマルチプレクサＭＰＸ１〜ＭＰＸＮには、画像信号Ｄ１〜Ｄｎが各々供給される。
各デマルチプレクサＭＰＸ１〜ＭＰＸＮは、選択信号Ｓ１〜Ｓ３に基づいて１本のデータ線３を選択し、選択したデータ線３に画像信号Ｄ１〜Ｄｎを出力する。
【００２５】
図３に、デマルチプレクサＭＰＸ１の回路構成を示す。なお、他のデマルチプレクサＭＰＸ２〜ＭＰＸＮもデマルチプレクサＭＰＸ１と同様に構成されている。デマルチプレクサＭＰＸ１は３個のスイッチング素子ＳＷ１〜ＳＷ３を備える。各スイッチング素子ＳＷ１〜ＳＷ３において、一方の各入出力端子は、データ線３に接続され、他方の各入出力端子は画像信号Ｄ１が供給される接続点Ｑに接続される。さらに、各スイッチング素子ＳＷ１〜ＳＷ３の各制御入力端子には選択信号Ｓ１〜Ｓ３が各々供給される。また、これらのスイッチング素子ＳＷ１〜ＳＷ３はＴＦＴで構成され、画像表示領域ＡのＴＦＴ５０と同一のプロセスで形成される。
【００２６】
以上の構成において、選択信号Ｓ１がアクティブになるとスイッチング素子ＳＷ１がオン状態となり画像信号Ｄ１がデータ線２−ｒに供給され、選択信号Ｓ２がアクティブになるとスイッチング素子ＳＷ２がオン状態となり画像信号Ｄ１がデータ線２−ｇに供給され、選択信号Ｓ３がアクティブになるとスイッチング素子ＳＷ３がオン状態となり画像信号Ｄ１がデータ線２−ｂに供給される。これにより、ＲＧＢの各色に対応する信号を時分割多重した画像信号Ｄ１を、所定のデータ線２−ｒ、２−ｇ、２−ｂに各々供給することができる。
【００２７】
図４は、信号供給線Ｌ１〜Ｌ３とデータ線選択回路５００の配置を示す平面図である。この図に示すように信号供給線Ｌ１〜Ｌ３は、平行に形成されており、線幅が等しい。信号供給線Ｌ１〜Ｌ３の一方の端部には、第１入力端子Ｔ１ａ、Ｔ２ａ、及びＴ３ａが形成されている。また、第１入力端子Ｔ１ａ、Ｔ２ａ、及びＴ３ａは近接して配置されている。そして、信号供給線Ｌ１〜Ｌ３と端子Ｔｉ１〜Ｔｉ３は、配線Ｕ１〜Ｕ３を介して接続されている。なお、配線Ｕ１〜Ｕ３の線幅は信号供給線Ｌ１〜Ｌ３の線幅と等しくなるように設定されている。
【００２８】
第１入力端子Ｔ１ａ、Ｔ２ａ、及びＴ３ａには、タイミング信号発生回路４００から選択信号Ｓ１〜Ｓ３が供給される。ここで、個々のデマルチプレクサＭＰＸ１〜ＭＰＸＮに着目すると、その端子Ｔｉ１から第１入力端子Ｔ１ａまでの距離、端子Ｔｉ２から第１入力端子Ｔ２ａまでの距離及び端子Ｔｉ３から第１入力端子Ｔ３ａまでの距離は、相互に等しい。また、信号供給線Ｌ１〜Ｌ３及び配線Ｕ１〜Ｕ３の線幅は等しい。
【００２９】
一般に、配線の抵抗と容量は、配線距離と線幅によって定まる。この例において、各第１入力端子Ｔ１ａ〜Ｔ３ａから端子Ｔｉ１〜Ｔｉ３までを各々１本の配線と考えると、これらの配線は、配線距離と線幅が等しくなる。従って、これらの配線によって構成される等価的なローパスフィルタは同一の構成となる。よって、あるデマルチプレクサに着目すると、そこに供給される選択信号Ｓ１〜Ｓ３の信号波形は同じ形状となる。
【００３０】
図５に、各デマルチプレクサに供給される選択信号Ｓ１〜Ｓ３の波形を示す。
例えば、デマルチプレクサＭＰＸ２に供給される選択信号Ｓ１〜Ｓ３の波形は殆ど同じである。このため、近接するスイッチング素子ＳＷ１〜ＳＷ３をオン状態とする時間をほぼ等しくすることができ、表示画質を改善することが可能となる。
【００３１】
但し、配線距離が長くなる程、等価的なローパスフィルタの時定数が大きくなるので、ＭＰＸ１→ＭＰＸ２→…ＭＰＸＮ−１→ＭＰＸＮの順に選択信号Ｓ１〜Ｓ３の波形は鈍る。しかしながら、ローパスフィルタの時定数は緩やかに変化するので、視覚上、大きな問題とはならない。
【００３２】
次に、上述した液晶パネルＡＡの機械的な構成について図６及び図７を参照して説明する。ここで、図６は、液晶パネルＡＡの構成を示す斜視図であり、図７は、図６におけるＺ−Ｚ’線断面図である。
【００３３】
これらの図に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００３４】
ここで、素子基板１５１の対向面であって、シール材１５４の外側一辺においては、複数の接続電極１５７が形成されて、画像信号出力回路５００からの画像信号Ｄ１〜Ｄｎやタイミング発生回路４００からの選択信号Ｓ１〜Ｓ３等の各種信号を入力する構成となっている。画像信号出力回路２００、走査線駆動回路１００等の周辺回路は、例えば、ＴＡＢ（Tape Automated Bonding）技術を用いてフィルムに実装されているが、駆動用ＩＣチップを、素子基板１５１の所定位置に設けられる異方性導電フィルムを介して電気的および機械的に接続する構成としても良いし、駆動用ＩＣチップ自体を、ＣＯＧ（Chip On Grass）技術を用いて、素子基板１５１の所定位置に異方性導電フィルムを介して電気的および機械的に接続する構成としても良い、さらには、素子基板１５１上に形成してもよい。
【００３５】
対向基板１５２の共通電極１５８は、素子基板１５１との貼合部分における４隅のうち、少なくとも１箇所において設けられた導通材によって、素子基板１５１との電気的導通が図られている。そして、導通材を介してコモン電位ＶＣＯＭが供給されるようになっている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００３６】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００３７】
＜２．第２実施形態＞
第２実施形態に係る液晶装置は、信号供給線Ｌ１〜Ｌ３に選択信号Ｓ１〜Ｓ３を供給する態様を除いて第１実施形態に係る液晶装置と同様である。図８は、第２実施形態に係る液晶装置における信号供給線Ｌ１〜Ｌ３とデータ線選択回路５００の配置を示す平面図である。
【００３８】
この例においては、信号供給線Ｌ１〜Ｌ３の一方の端部に第１入力端子Ｔ１ａ〜Ｔ３ａが設けられ、他方の端部に第２入力端子Ｔ１ｂ〜Ｔ３ｂが設けられる。
第２入力端子Ｔ１ｂ〜Ｔ３ｂは近接している。そして、第１入力端子Ｔ１ａ〜Ｔ３ａ及び第２入力端子Ｔ１ｂ〜Ｔ３ｂから選択信号Ｓ１〜Ｓ３が供給される。
【００３９】
ここで、個々のデマルチプレクサＭＰＸ１〜ＭＰＸＮに着目すると、その端子Ｔｉ１から第２入力端子Ｔ１ｂまでの距離、端子Ｔｉ２から第２入力端子Ｔ２ｂまでの距離及び端子Ｔｉ３から第２入力端子Ｔ３ｂまでの距離は、相互に等しい。従って、あるデマルチプレクサに着目すると、第１実施形態と同様にそこに供給される選択信号Ｓ１〜Ｓ３の信号波形は同じ形状となる。
【００４０】
但し、第２実施形態においては、第１入力端子Ｔ１ａ〜Ｔ３ａのみならず第２入力端子Ｔ１ｂ〜Ｔ３ｂからも選択信号Ｓ１〜Ｓ３を供給しているので、各デマルチプレクサＭＰＸ１〜ＭＰＸＮの端子Ｔｉ１〜Ｔｉ３では、双方の入力端子Ｔ１ａ〜Ｔ３ａ及びＴ１ｂ〜Ｔ３ｂから供給される選択信号Ｓ１〜Ｓ３が各々合成されることになる。
【００４１】
図９に各デマルチプレクサに供給される選択信号Ｓ１〜Ｓ３の波形を示す。同図から明らかなように、左端に位置するデマルチプレクサＭＰＸ１及び右端に位置するデマルチプレクサＭＰＸＮに供給される選択信号Ｓ１〜Ｓ３の波形は等しくなり、また、左から２番目に位置するデマルチプレクサＭＰＸ２及び右から２番目に位置するデマルチプレクサＭＰＸＮ−１に供給される選択信号Ｓ１〜Ｓ３の波形は等しくなる。
【００４２】
また、図５に示す信号波形と図９に示す信号波形を比較すると、第２実施形態の方が信号波形の鈍りが少なく、波形の形状が似ていることが分かる。これは、信号供給線Ｌ１〜Ｌ３の双方の端部から選択信号Ｓ１〜Ｓ３を供給することによって、配線距離を短くできるからである。
【００４３】
従って、第２実施形態に係る液晶装置によれば、各デマルチプレクサＭＰＸ１〜ＭＰＸＮに供給される選択信号Ｓ１〜Ｓ３の信号波形のバラツキを少なくすることができるから、画面全体としてより均一な画像を表示することが可能となる。
【００４４】
＜３．応用例＞
＜３−１：素子基板の構成など＞
上述した各実施形態においては、液晶パネルＡＡの素子基板１５１をガラス等の透明な絶縁性基板により構成して、当該基板上にシリコン薄膜を形成するとともに、当該薄膜上にソース、ドレイン、チャネルが形成されたＴＦＴによって、画素のスイッチング素子（ＴＦＴ５０）を構成するものとして説明したが、本発明はこれに限られるものではない。
【００４５】
例えば、素子基板１５１を半導体基板により構成して、当該半導体基板の表面にソース、ドレイン、チャネルが形成された絶縁ゲート型電界効果トランジスタによって、画素のスイッチング素子や各種の回路の素子を構成しても良い。このように素子基板１５１を半導体基板により構成する場合には、透過型の表示パネルとして用いることができないため、画素電極６をアルミニウムなどで形成して、反射型として用いられることとなる。また、単に、素子基板１５１を透明基板として、画素電極６を反射型にしても良い。
【００４６】
また、本発明は、アクティブマトリクス型液晶表示装置として説明したが、これに限られず、ＳＴＮ（Super Twisted Nematic）液晶などを用いたパッシィブ型にも適用可能である。さらに、電気光学材料としては、液晶のほかに、エレクトロルミネッセンス素子などを用いて、その電気光学効果により表示を行う表示装置にも適用可能である。すなわち、本発明は、上述した液晶装置と類似の構成を有するすべての電気光学装置に適用可能である。
【００４７】
＜３−２：電子機器＞
次に、上述した液晶装置を各種の電子機器に適用される場合について説明する。
＜３−２−１：プロジェクタ＞
まず、この液晶装置をライトバルブとして用いたプロジェクタについて説明する。図１０は、プロジェクタの構成例を示す平面図である。
【００４８】
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４９】
液晶パネル１１１０Ｒ、１１１０Ｂおよび１１１０Ｇの構成は、上述した液晶パネルＡＡと同等であり、画像信号処理回路（図示省略）から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５０】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００５１】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５２】
＜４−３−２：モバイル型コンピュータ＞
次に、この液晶パネルを、モバイル型のパーソナルコンピュータに適用した例について説明する。図１１は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００５３】
＜４−３−３：携帯電話＞
さらに、この液晶パネルを、携帯電話に適用した例について説明する。図１２は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【００５４】
なお、図１０〜図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【図面の簡単な説明】
【００５５】
【図１】本発明の第１実施形態に係る液晶装置の全体構成を示すブロック図である。
【図２】同装置に用いるデータ線選択回路の構成を示すブロック図である。
【図３】同回路に用いるデマルチプレクサＭＰＸ１の回路図である。
【図４】同実施形態に係る信号供給線Ｌ１〜Ｌ３とデータ線選択回路５００の配置を示す平面図である。
【図５】同実施形態に係る選択信号Ｓ１〜Ｓ３の信号波形を示す波形図である。
【図６】液晶パネルＡＡの機械的構成を示す斜視図である。
【図７】液晶パネルＡＡの構造を説明するための一部断面図である。同液晶パネルＡＡの駆動波形のタイミングチャートである。
【図８】第２実施形態に係る信号供給線Ｌ１〜Ｌ３とデータ線選択回路５００の配置を示す平面図である。
【図９】同実施形態に係る選択信号Ｓ１〜Ｓ３の信号波形を示す波形図である。
【図１０】同液晶装置を適用した電子機器の一例たるビデオプロジェクタの断面図である。
【図１１】同液晶装置を適用した電子機器の一例たるパーソナルコンピュータの構成を示す斜視図である。
【図１２】同液晶装置を適用した電子機器の一例たる携帯電話の構成を示す斜視図である。
【符号の説明】
【００５６】
２…走査線、３…データ線、６…画素電極、５０…ＴＦＴ、１００…走査線駆動回路、２００…画像信号出力回路、５００…データ線選択回路、ＭＰＸ１〜ＭＰＸＮ…デマルチプレクサ、Ｌ１〜Ｌ３…信号供給線、ＳＷ１，ＳＷ２，ＳＷ３…スイッチング素子。
【図１】
2008134645.tif 000003
【図２】
2008134645.tif 000004
【図３】
2008134645.tif 000005
【図４】
2008134645.tif 000006
【図５】
2008134645.tif 000007
【図６】
2008134645.tif 000008
【図７】
2008134645.tif 000009
【図８】
2008134645.tif 000010
【図９】
2008134645.tif 000011
【図１０】
2008134645.tif 000012
【図１１】
2008134645.tif 000013
【図１２】
2008134645.tif 000014
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
基板上に複数の走査線と、複数のデータ線と、前記走査線と前記データ線との交差に対応して設けられた複数の画素と、を備えた電気光学装置であって、
前記基板上に、
一方の端部に互いに近接して配置され複数の選択信号が各々入力されるｎ個（ｎは２以上の整数）の選択信号入力端子と、
各々線幅の等しいｎ本の第１の配線と、
一方の端子が画像信号が供給される接続点に接続されるとともに他方の端子がｎ本のデータ線のうちのいずれかに各々接続されるｎ個のスイッチング素子を含み、ｎ個の制御入力端子の各々に入力される前記選択信号に基づいて、前記ｎ本のデータ線から選択した１本のデータ線に前記画像信号を供給するｍ個（ｍは２以上の整数）の選択回路と、
各々前記データ線の延在する方向に延在し並んで配設されるとともに前記ｎ個のスイッチング素子における前記各制御入力端子に一端が接続され、前記各第１の配線から供給された前記各選択信号を前記各スイッチング素子に供給する各々線幅の等しいｎ本の第２の配線の組をｍ組と、
前記ｎ個の選択信号入力端子に前記複数の選択信号を各々供給する選択信号供給手段と、
を備え、
前記第１の配線は、当該ｎ個の選択信号入力端子から各々前記データ線の延在する方向に延在し並んで配設される第１部分と、当該データ線の延在する方向と直交する方向に各々延在し並んで配設される第２部分とを有し、
前記選択回路のｎ個の制御入力端子は前記ｎ個の選択信号入力端子の配列方向と同じ方向に配列しており、各選択回路の前記ｎ個の制御入力端子と前記ｎ個の選択信号入力端子とは、前記配列における順番が同じ端子同士が対応しており、
前記ｎ個の第２の配線の各他端は、その各一端が接続している制御入力端子に対応する前記選択信号入力端子から延在している前記第１の配線の第２部分と各々接続され、前記複数の第１の配線及び前記複数の第２の配線の線幅を互いに等しくし、前記ｎ個の選択信号入力端子から同じ選択回路の前記ｎ個のスイッチング素子における各制御入力端子までの各経路を構成する配線は、経路長及び線幅が等しく、等価的なローパスフィルタを構成し、前記各経路が構成する前記等価的なローパスフィルタを互いに同一構成とする、
ことを特徴とする電気光学装置。
【請求項２】
基板上に複数の走査線と、複数のデータ線と、前記走査線と前記データ線との交差に対応して設けられた複数の画素と、を備えた電気光学装置であって、
前記基板上に、
基板の一辺の一端に互いに近接して配置され複数の選択信号が各々入力されるｎ個（ｎは２以上の整数）の第１の選択信号入力端子と、
前記一辺の他端に互いに近接して配置され前記複数の選択信号が各々入力されるｎ個の第２の選択信号入力端子と、
各々線幅の等しいｎ本の第１の配線と、
一方の端子が画像信号が供給される接続点に接続されるとともに他方の端子がｎ本のデータ線のうちのいずれかに各々接続されるｎ個のスイッチング素子を含み、ｎ個の制御入力端子の各々に入力される前記選択信号に基づいて、前記ｎ本のデータ線から選択した１本のデータ線に前記画像信号を供給するｍ個（ｍは２以上の整数）の選択回路と、
各々前記データ線の延在する方向に延在し並んで配設されるとともに前記ｎ個のスイッチング素子における前記各制御入力端子に一端が接続され、前記各第１の配線から供給された前記各選択信号を前記各スイッチング素子に供給する各々線幅の等しいｎ本の第２の配線の組をｍ組と、
前記ｎ個の第１の選択信号入力端子及び前記ｎ個の第２の選択信号入力端子に前記複数の選択信号を各々供給する選択信号供給手段と、
を備え、
前記第１の配線は、当該ｎ個の第１の選択信号入力端子から各々前記データ線の延在する方向に延在し並んで配設される第１部分と、当該データ線の延在する方向と直交する方向に各々延在し並んで配設される第２部分と、当該ｎ個の第２の選択信号入力端子からから各々前記データ線の延在する方向に延在し並んで配設される第３部分と、を有し、
前記選択回路のｎ個の制御入力端子は前記ｎ個の第１の選択信号入力端子及び第２の選択信号入力端子の配列方向と同じ方向に配列しており、各選択回路の前記ｎ個の制御入力端子と前記ｎ個の第１の選択信号入力端子と前記ｎ個の第２の選択信号入力端子とは、前記配列における順番が同じ端子同士が対応しており、
前記ｎ個の第２の配線の各他端は、その各一端が接続している制御入力端子に対応する前記選択信号入力端子から延在している前記第１の配線の第２部分と各々接続され、前記複数の第１の配線及び前記複数の第２の配線の線幅を互いに等しくし、前記ｎ個の第１の選択信号入力端子から同じ選択回路の前記ｎ個のスイッチング素子における各制御入力端子までの各経路を構成する配線は、経路長及び線幅が等しく、等価的なローパスフィルタを構成し、前記ｎ個の第２の選択信号入力端子から同じ選択回路の前記ｎ個のスイッチング素子における各制御入力端子までの各経路を構成する配線は、経路長及び線幅が等しく、等価的なローパスフィルタを構成していることを特徴とする電気光学装置。
【請求項３】
前記画像信号を入力するｍ個の画像信号端子は、前記基板上の前記一辺に前記ｎ個の第１の選択信号入力端子及び前記ｎ個の第２の選択信号入力端子とともに配置され、前記接続点と前記画像信号端子とは第３の配線を介して各々接続されることを特徴とする請求項２に記載の電気光学装置。
【請求項４】
請求項１〜３の何れか一項に記載した電気光学装置を備えた電子機器。
【手続補正３】
【補正対象書類名】明細書
【補正対象項目名】０００８
【補正方法】変更
【補正の内容】
【０００８】
上記課題を解決するために、本発明に係る第１の電気光学装置は、基板上に複数の走査線と、複数のデータ線と、前記走査線と前記データ線との交差に対応して設けられた複数の画素と、を備えた電気光学装置であって、前記基板上に、一方の端部に互いに近接して配置され複数の選択信号が各々入力されるｎ個（ｎは２以上の整数）の選択信号入力端子と、各々線幅の等しいｎ本の第１の配線と、一方の端子が画像信号が供給される接続点に接続されるとともに他方の端子がｎ本のデータ線のうちのいずれかに各々接続されるｎ個のスイッチング素子を含み、ｎ個の制御入力端子の各々に入力される前記選択信号に基づいて、前記ｎ本のデータ線から選択した１本のデータ線に前記画像信号を供給するｍ個（ｍは２以上の整数）の選択回路と、各々前記データ線の延在する方向に延在し並んで配設されるとともに前記ｎ個のスイッチング素子における前記各制御入力端子に一端が接続され、前記各第１の配線から供給された前記各選択信号を前記各スイッチング素子に供給する各々線幅の等しいｎ本の第２の配線の組をｍ組と、前記ｎ個の選択信号入力端子に前記複数の選択信号を各々供給する選択信号供給手段と、を備え、前記第１の配線は、当該ｎ個の選択信号入力端子から各々前記データ線の延在する方向に延在し並んで配設される第１部分と、当該データ線の延在する方向と直交する方向に各々延在し並んで配設される第２部分とを有し、前記選択回路のｎ個の制御入力端子は前記ｎ個の選択信号入力端子の配列方向と同じ方向に配列しており、各選択回路の前記ｎ個の制御入力端子と前記ｎ個の選択信号入力端子とは、前記配列における順番が同じ端子同士が対応しており、前記ｎ個の第２の配線の各他端は、その各一端が接続している制御入力端子に対応する前記選択信号入力端子から延在している前記第１の配線の第２部分と各々接続され、前記複数の第１の配線及び前記複数の第２の配線の線幅を互いに等しくし、前記ｎ個の選択信号入力端子から同じ選択回路の前記ｎ個のスイッチング素子における各制御入力端子までの各経路を構成する配線は、経路長及び線幅が等しく、等価的なローパスフィルタを構成し、前記各経路が構成する前記等価的なローパスフィルタを互いに同一構成とする、ことを特徴とする
【手続補正４】
【補正対象書類名】明細書
【補正対象項目名】０００９
【補正方法】変更
【補正の内容】
【０００９】
次に、本発明に係る第２の電気光学装置は、基板上に複数の走査線と、複数のデータ線と、前記走査線と前記データ線との交差に対応して設けられた複数の画素と、を備えた電気光学装置であって、前記基板上に、基板の一辺の一端に互いに近接して配置され複数の選択信号が各々入力されるｎ個（ｎは２以上の整数）の第１の選択信号入力端子と、前記一辺の他端に互いに近接して配置され前記複数の選択信号が各々入力されるｎ個の第２の選択信号入力端子と、各々線幅の等しいｎ本の第１の配線と、一方の端子が画像信号が供給される接続点に接続されるとともに他方の端子がｎ本のデータ線のうちのいずれかに各々接続されるｎ個のスイッチング素子を含み、ｎ個の制御入力端子の各々に入力される前記選択信号に基づいて、前記ｎ本のデータ線から選択した１本のデータ線に前記画像信号を供給するｍ個（ｍは２以上の整数）の選択回路と、各々前記データ線の延在する方向に延在し並んで配設されるとともに前記ｎ個のスイッチング素子における前記各制御入力端子に一端が接続され、前記各第１の配線から供給された前記各選択信号を前記各スイッチング素子に供給する各々線幅の等しいｎ本の第２の配線の組をｍ組と、前記ｎ個の第１の選択信号入力端子及び前記ｎ個の第２の選択信号入力端子に前記複数の選択信号を各々供給する選択信号供給手段と、を備え、前記第１の配線は、当該ｎ個の第１の選択信号入力端子から各々前記データ線の延在する方向に延在し並んで配設される第１部分と、当該データ線の延在する方向と直交する方向に各々延在し並んで配設される第２部分と、当該ｎ個の第２の選択信号入力端子からから各々前記データ線の延在する方向に延在し並んで配設される第３部分と、を有し、  前記選択回路のｎ個の制御入力端子は前記ｎ個の第１の選択信号入力端子及び第２の選択信号入力端子の配列方向と同じ方向に配列しており、各選択回路の前記ｎ個の制御入力端子と前記ｎ個の第１の選択信号入力端子と前記ｎ個の第２の選択信号入力端子とは、前記配列における順番が同じ端子同士が対応しており、前記ｎ個の第２の配線の各他端は、その各一端が接続している制御入力端子に対応する前記選択信号入力端子から延在している前記第１の配線の第２部分と各々接続され、前記複数の第１の配線及び前記複数の第２の配線の線幅を互いに等しくし、前記ｎ個の第１の選択信号入力端子から同じ選択回路の前記ｎ個のスイッチング素子における各制御入力端子までの各経路を構成する配線は、経路長及び線幅が等しく、等価的なローパスフィルタを構成し、前記ｎ個の第２の選択信号入力端子から同じ選択回路の前記ｎ個のスイッチング素子における各制御入力端子までの各経路を構成する配線は、経路長及び線幅が等しく、等価的なローパスフィルタを構成していることを特徴とする電気光学装置。
【手続補正５】
【補正対象書類名】明細書
【補正対象項目名】００１０
【補正方法】変更
【補正の内容】
【００１０】
また、上述した第２電気光学装置は、前記画像信号を入力するｍ個の画像信号端子は、前記基板上の前記一辺に前記ｎ個の第１の選択信号入力端子及び前記ｎ個の第２の選択信号入力端子とともに配置され、前記接続点と前記画像信号端子とは第３の配線を介して各々接続されることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】